(57)【要約】【課題】周囲温度の影響を受けることなく信頼性の高い調光が可能でしかも安価な放電灯点灯装置及びそれを用いた照明器具を提供することにある。【解決手段】調光回路４は、調光操作用可変抵抗ＶＲ２に出力調整用可変抵抗ＶＲ１と並負特性サーミスタＮＴＣ１と抵抗Ｒｂとの直列回路を並列接続し、調光操作用可変抵抗ＶＲの操作量に対応した抵抗値に応じて調光レベルを決定する。【選択図】図１
2008098005.tif 000002
【特許請求の範囲】
【請求項１】
交流電源を整流する整流回路と、整流後の直流電圧を平滑する平滑回路と、該平滑回路の直流出力を高周波出力に変換して放電灯に供給するインバータ回路と、操作量に応じて抵抗値が変化する調光操作用可変抵抗を含み、該調光操作用可変抵抗の抵抗値に対応して調光レベルを決定する調光回路と、該調光レベルに対応した放電灯の光出力が得られるように前記インバータ回路の発振周波数を制御して前記インバータ回路の高周波出力を変化させる制御回路とを備えた放電灯点灯装置において、前記調光回路は、前記調光操作用可変抵抗に並列に負特性サーミスタを接続していることを特徴とする放電灯点灯装置。
【請求項２】
前記調光回路は、前記負特性サーミスタに出力調整用可変抵抗を直列に接続し、該出力調整用可変抵抗を介して前記負特性サーミスタに前記調光操作用可変抵抗を並列接続していることを特徴とする請求項１に記載の放電灯点灯装置。
【請求項３】
交流電源を整流する整流回路と、整流後の直流電圧を平滑する平滑回路と、該平滑回路の直流出力を高周波出力に変換して放電灯に供給するインバータ回路と、操作量に応じて抵抗値が変化する調光操作用可変抵抗を含み、該調光操作用可変抵抗の抵抗値に対応する調光レベルを決定する調光回路と、該調光レベルに対応した放電灯の光出力が得られるように前記インバータ回路の発振周波数を制御して前記インバータ回路の高周波出力を変化させる制御回路とを備えた放電灯点灯装置において、前記調光回路は、前記調光操作用可変抵抗に直列に負特性サーミスタを接続していることを特微とする放電灯点灯装置。
【請求項４】
交流電源を整流する整流回路と、整流後の直流電圧を平滑する平滑回路と、該平滑回路の直流出力を高周波出力に変換して放電灯に供給するインバータ回路と、操作量に応じて抵抗値が変化する調光操作用可変抵抗を含み、該調光操作用可変抵抗の抵抗値に対応する調光レベルを決定する調光回路と、該調光レベルに対応した放電灯の光出力が得られるように前記インバータ回路の発振周波数を制御して前記インバータ回路の高周波出力を変化させる制御回路とを備えた放電灯点灯装置において、前記調光回路は、前記調光操作用可変抵抗に第１の負特性サーミスタと出力調整用可変抵抗との直列回路を並列接続するとともに、該並列回路に第２の負特性サーミスタを直列接続していることを特徴とする放電灯点灯装置。
【請求項５】
前記第２の負特性サーミスタの抵抗値を前記第１の負特性サーミスタの抵抗値に比して十分小さい抵抗値としたことを特徴とする請求項４記載の放電灯点灯装置。
【請求項６】
請求項１〜４の何れかに記載された放電灯点灯装置と、放電灯とを用いて構成されていることを特徴とする照明器具。
【発明の詳細な説明】
【技術分野】
【０００１】
本発明は、放電灯点灯装置及び照明器具に関するものである。
【背景技術】
【０００２】
調光操作用可変抵抗を備えた調光可能な放電灯点灯装置が従来より提供されている（例えば特許文献１）。
【０００３】
この特許文献１に開示されている放電灯点灯装置は、調光操作用可変抵抗を操作することにより、放電灯の光出力を連続的に可変させるもので、インバータ回路の高周波出力は調光回路に接続された調光操作用可変抵抗によって設定される調光レベルに応じて決定され、ユーザーは調光操作用可変抵抗を自由に操作することにより、調光上限〜調光下限の範囲において、所望の光出力を得ることができる。
【特許文献１】特開２００５−２１６５５３号公報（段落００２０）
【発明の開示】
【発明が解決しようとする課題】
【０００４】
ところで、一般的に、放電灯点灯装置は、長時間点灯継続することにより、回路部品が発熱し温度が上昇する。
【０００５】
特に、周囲温度が高い環境では、回路部品の性能や、放電灯点灯装置が内包される照明器具の構造によっては、回路部品の温度が非常に高くなり、その使用可能温度を超えてしまうと故障等につながるため、回路部品の使用温度について十分な注意が必要であった。
【０００６】
特許文献１に開示されているような調光可能な放電灯点灯装置においても、調光上限時には回路部品、特にスイッチング素子等の温度上昇に注意する必要があり、結果として発熱しにくい高品質な部品を使用したり、照明器具の構造を放熱しやすいものにするなどの工夫が必要であった。
【０００７】
また一方で、一般的に蛍光灯は、ランプ電流が少ない場合には点灯が維持しにくくなり、立ち消えを起こしたり、ちらつきが発生したりするという性質がある。
【０００８】
特に、周囲温度が低い環境においては、更にこの立ち消えやちらつきが発生しやすいので、調光下限の光出力は、想定される範囲内で最も低い周囲温度を考慮して決定される必要があった。
【０００９】
従って、調光上限時の光出力と調光下限の光出力との差、いわゆる調光比を限界まで小さくすることができないという課題があった。
【００１０】
本発明は、上述の点に鑑みて為されたものであり、その目的とするところは、周囲温度の影響を受けることなく信頼性の高い調光が可能でしかも安価な放電灯点灯装置及びそれを用いた照明器具を提供することにある。
【課題を解決するための手段】
【００１１】
上述の目的を達成するために、請求項１の発明では、交流電源を整流する整流回路と、整流後の直流電圧を平滑する平滑回路と、該平滑回路の直流出力を高周波出力に変換して放電灯に供給するインバータ回路と、操作量に応じて抵抗値が変化する調光操作用可変抵抗を含み、該調光操作用可変抵抗の抵抗値に対応して調光レベルを決定する調光回路と、該調光レベルに対応した放電灯の光出力が得られるように前記インバータ回路の発振周波数を制御して前記インバータ回路の高周波出力を変化させる制御回路とを備えた放電灯点灯装置において、前記調光回路は、前記調光操作用可変抵抗に並列に負特性サーミスタを接続していることを特徴とする。
【００１２】
請求項１の発明によれば、回路部品等の発熱等による周囲温度の上昇時には調光操作用可変抵抗と負特性サーミスの並列回路の抵抗値が低下するため、調光回路が決定する調光レベルが下がり、その結果調光操作用可変抵抗の抵抗値が最も大きくなる調光上限時にあっても光出力を低減することができ、しかも調光操作用可変抵抗の抵抗値が最も小さくなる調光下限付近では負特性サーミスタの抵抗値とは関係なく調光レベルの決定するための抵抗値がほぼ一定となり、放電灯の光出力を周囲温度の影響を受けることなくほぼ一定に維持することができ、そのため長時間点灯による回路の故障を防ぐことができ、しかも負特性サーミスタを調光回路に追加するだけで良いため、より信頼性の高い調光が可能な放電灯点灯装置を安価に提供することができる。
【００１３】
請求項２の発明では、請求項１の発明において、前記調光回路は、前記負特性サーミスタに出力調整用可変抵抗を直列に接続し、該出力調整用可変抵抗を介して前記負特性サーミスタに前記調光操作用可変抵抗を並列接続していることを特徴とする。
【００１４】
請求項２の発明によれば、請求項１の発明の効果に加えて、調光操作用可変抵抗のばらつきが大きい場合でも、出力調整用可変抵抗の抵抗値を変えることで、調光上限時の光出力を所望の光出力に調整することができ、しかも出力調整用可変抵抗を加えるだけで良いため、より信頼性の高い調光が可能な放電灯点灯装置を安価に提供することができる。
【００１５】
請求項３の発明では、交流電源を整流する整流回路と、整流後の直流電圧を平滑する平滑回路と、該平滑回路の直流出力を高周波出力に変換して放電灯に供給するインバータ回路と、操作量に応じて抵抗値が変化する調光操作用可変抵抗を含み、該調光操作用可変抵抗の抵抗値に対応する調光レベルを決定する調光回路と、該調光レベルに対応した放電灯の光出力が得られるように前記インバータ回路の発振周波数を制御して前記インバータ回路の高周波出力を変化させる制御回路とを備えた放電灯点灯装置において、前記調光回路は、前記調光操作用可変抵抗に直列に負特性サーミスタを接続していることを特微とする。
【００１６】
請求項３の発明によれば、周囲温度の低い環境下で、調光操作用可変抵抗の抵抗値を小さくして調光下限付近とした場合、負特性サーミスタの抵抗値が高くなって調光下限付近での調光レベルを上げる方向とするため、調光下限での光出力を低く設定しながら、低温時の立ち消え及びちらつき等の発生を抑制することができ、しかも負特性サーミスタを調光回路に追加するだけで良いため、より信頼性の高い調光可能な放電灯点灯装置を安価に提供することができる。
【００１７】
請求項４の発明では、交流電源を整流する整流回路と、整流後の直流電圧を平滑する平滑回路と、該平滑回路の直流出力を高周波出力に変換して放電灯に供給するインバータ回路と、操作量に応じて抵抗値が変化する調光操作用可変抵抗を含み、該調光操作用可変抵抗の抵抗値に対応する調光レベルを決定する調光回路と、該調光レベルに対応した放電灯の光出力が得られるように前記インバータ回路の発振周波数を制御して前記インバータ回路の高周波出力を変化させる制御回路とを備えた放電灯点灯装置において、前記調光回路は、第１の負特性サーミスタと出力調整用可変抵抗との直列回路に前記調光操作用可変抵抗を並列接続するとともに、該並列回路に第２の負特性サーミスタを直列接続していることを特徴とする。
【００１８】
請求項４の発明によれば、二つの負特性サーミスタと出力用可変抵抗を調光回路に加えるだけで、請求項１、２の発明の効果と、請求項３の発明の効果の双方を同時に得ることができ、より信頼性の高い調光可能な放電灯点灯装置を安価に提供することができる。
【００１９】
請求項５の発明では、請求項４の発明において、前記第２の負特性サーミスタの抵抗値を前記第１の負特性サーミスタの抵抗値に比して十分小さい抵抗値としたことを特徴とする。
【００２０】
請求項５の発明によれば、調光下限において、周囲温度が低くなればなるほど、調光レベルを上げる方向となるため、通常使用状態での調光下限の光出力を可能な限り低く設定しながら、低温時の立ち消え及びちらつきをより確実に抑制することができる。
【００２１】
請求項６の発明によれば、請求項１〜５の何れかの発明の効果を利用した信頼性の高い調光可能な照明器具を安価に提供することができる。
【発明の効果】
【００２２】
本発明は、負特性サーミスタを調光回路に追加するだけで、或いは更に出力用調整可変抵抗を加えるだけで、より信頼性の高い調光可能な放電灯点灯装置を安価に提供することができるという効果がある。
【発明を実施するための最良の形態】
【００２３】
以下、本発明を実施形態によって説明する。
（実施形態１）
図１は本実施形態の放電灯点灯装置の概略回路図を示しており、図示する放電灯点灯装置は、交流電源ＡＣを整流する整流ダイオードＤ１，Ｄ２及び整流出力を平滑する平滑コンデンサＣ１，Ｃ２から所謂倍電圧整流回路を構成する整流・平滑回路１と、この整流・平滑回路１の整流・平滑によって得られた直流を、スイッチング素子Ｑ１，Ｑ２を交互にオン・オフさせることによって高周波に変換するインバータ回路２と、スイッチング素子Ｑ１，Ｑ２のスイッチングを制御する制御回路３と、後述する調光回路４と、フィードバック回路５等から構成され、インバータ回路２のスイッチング素子Ｑ１，Ｑ２の接続点とグランドとの間には、直流カット用コンデンサＣ３、共振用チョークコイルＬ０の直列回路を介して蛍光灯のような放電灯Ｌａを接続し、また放電灯Ｌａの非電源側端間には共振用コンデンサＣ０を接続し、インバータ回路２から供給する高周波出力で放電灯Ｌａを点灯させるようになっている。
【００２４】
インバータ回路２の高周波出力の大きさは、整流・平滑回路１から出力される直流電圧及びスイッチング素子Ｑ１，Ｑ２のスイッチングの動作周波数によって決まり、共振用チョークコイルＬ０と共振用コンデンサＣ０及び放電灯Ｌａによって構成されるＬＣＲ共振カーブに従って変化する。
【００２５】
調光回路４は、整流・平滑回路１の出力電圧を安定化回路（図示せず）によって安定化した所定の基準電圧Ｖｒｅｆを複数の抵抗器により分圧する抵抗分圧回路から構成される。具体的には図示するように抵抗Ｒａと、出力調整用可変抵抗ＶＲ１、負特性サーミスタＮＴＣ１、抵抗Ｒｂ、Ｒｃの直列回路及び出力調整用可変抵抗ＶＲ１、負特性サーミスタＮＴＣ１、抵抗Ｒｂの直列回路に並列に接続した調光操作用可変抵抗ＶＲ２からなる抵抗回路とで基準電圧Ｖｒｅｆを分圧するようになっており、この分圧電圧が調光レベルに対応する調光回路４の出力電圧Ｖとなる。
【００２６】
この出力電圧Ｖは、調光操作用可変抵抗ＶＲ２と、出力調整用可変抵抗ＶＲ１、負特性サーミスタＮＴＣ１、抵抗Ｒｂの直列回路と並列回路の両端の抵抗値により決定されるもので、調光操作用可変抵抗ＶＲ２の操作量によって該抵抗値が変化して出力電圧Ｖ、つまり調光レベルが設定されることになる。
【００２７】
フィードバック回路５は、インバータ回路２のスイッチング素子Ｑ１，Ｑ２に流れる所謂共振電流を検出して制御回路３へ帰還し、この帰還に応じた制御回路３の働きによりスイッチング素子Ｑ１，Ｑ２の動作周波数を変化させ、インバータ回路２の出力電力を一定にする、所謂出力電力フィードバック回路を構成するもので、共振電流を検出抵抗Ｒ０により電圧に変換し、この電圧をフィードバック電位としてオペアンプＯＰ１の負入力端子に入力している。一方フィードバック回路５の基準電位として、調光回路４の出力電圧ＶをオペアンプＯＰ１の正入力端子に入力しており、共振電流から生成されたフィードバック電位（負入力）が、調光回路４の出力電圧Ｖ（正入力）と同一の電圧が得られるようにインバータ回路２のスイッチング素子Ｑ１，Ｑ２の動作周波数が制御回路３によって制御されることとなり、調光回路４の出力電圧Ｖが高ければ高いほど、つまり調光レベルが高い程インバータ回路２の出力電力は大きくなる。つまり調光レベルに応じて放電灯Ｌａに供給される電力が制御され、放電灯Ｌａの光出力が変化する。
【００２８】
尚、調光回路４の出力電圧Ｖが所定の値を越えると、オペアンプＯＰ１の出力は固定されて、インバータ回路２の出力電力も所定の電力以上にはならない。
【００２９】
そして調光操作用可変抵抗ＶＲ２の抵抗値が最大の時に、調光回路４の出力電圧Ｖは最も高くなり、インバータ回路２の出力電力も最大になる。この状態を調光上限とする。
【００３０】
一方、調光操作用可変抵抗ＶＲ２の抵抗値が最小、すなわち略０Ωのときに調光回路４の出力電力Ｖは最小となり、これによりインバータ回路２の出力電力も最小となる。この状態を調光下限とする。
【００３１】
ところで、本実施形態に用いる調光回路４の調光操作用可変抵抗ＶＲ２は並列に負特性サーミスタＮＴＣ１を接続しており、この負特性サーミスタＮＴＣ１は周囲温度Ｔが高温になると抵抗値が低下し、逆に周囲温度が低温になると抵抗値が増加するため、例えば図２（ａ）に示すように周囲温度ＴがＴ１，Ｔ２…と変化した場合、その抵抗値ＲはＲ１、Ｒ２…と変化する。
【００３２】
ここで、調光操作用可変抵抗ＶＲ２の抵抗値が最大の時（調光上限）と最小（調光下限）の時の、調光回路４の出力電圧Ｖが周囲温度Ｔによってどのように変化するかを図２（ｂ）に示す。図中（Ｉ）は調光下限の場合の変化を、（II）は調光上限の場合の変化を示す。
【００３３】
この場合、調光上限においては、負特性サーミスタＮＴＣ１の抵抗値の変化に比例して、周囲温度Ｔが高温になればなるほど出力電圧ＶはＶ１，Ｖ２…と低下するが、調光下限においては、負特性サーミスタＮＴＣ１に並列に接続されている調光操作用可変抵抗ＶＲ２の抵抗値がほぼ０であるために、負特性サーミスタＮＴＣ１の抵抗値の変化があっても上述の並列回路の抵抗値にはほとんど影響がなく、出力電圧Ｖはほぼ一定（Ｖｍｉｎ）に保たれる。
【００３４】
従って、インバータ回路２の出力電力は周囲温度Ｔによる変化は図２（ｃ）のようになり、（II）で示す調光上限付近においてはインバータ回路２の出力電力Ｐが周囲温度Ｔに応じてＰ１、Ｐ２…と低下し、回路部品の温度上昇を抑えて故障を防ぐことができ、また（Ｉ）で示す調光下限付近においては、インバータ回路２の出力電力Ｐはほぼ一定（Ｐｍｉｎ）に保たれて低下することがないため立ち消えやちらつきの発生を防ぐことができる。
【００３５】
ところで、一般的に可変抵抗の抵抗値は±２０〜２５％程度のばらつきを持つため、調光操作用に可変抵抗を用いていると、調光回路４の出力電圧Ｖへの影響が非常に大きく、結果として調光上限時のインバータ回路２の出力電力が大きくばらついてしまう。
【００３６】
そこで、本実施形態では、負特性サーミスタＮＴＣ１と抵抗Ｒｂとを介して調光操作用可変抵抗ＶＲ２に並列接続した出力調整用可変抵抗ＶＲ１を備え、この出力調整用可変愛知校ＶＲ１の抵抗値を変えることで調光上限時の出力電圧Ｖを調整し、調光上限時のインバータ回路２の出力電力のばらつきをなくすことができるようになっている。
【００３７】
一方、調光下限時のインバータ回路２の出力電力については、調光操作用可変抵抗ＶＲ２の抵抗値がほぼ０になることにより、出力調整用可変抵抗ＶＲ１の値に関わらずほぼ一定となる。
【００３８】
このように、本実施形態では、周囲温度や回路部品の発熱に応じて調光上限時の光出力を低減することができ、また調光下限付近の光出力は周囲温度によらずほぼ一定の出力を維持できるので、長時間点灯による回路の故障を防ぐことができ、更に調光操作用可変抵抗ＶＲ２のばらつきが大きい場合でも、調光上限時の光出力を所望の光出力に調整することができる。
（実施形態２）
本実施形態の放電灯点灯装置は、図３に示すように出力調整用可変抵抗ＶＲ１，第１の負特性サーミスタＮＴＣ１、抵抗Ｒｂの直列回路と，調光操作用可変抵抗ＶＲ２との並列回路と、抵抗Ｒｃとの間に第２の負特性サーミスタＮＴＣ２を挿入することで、出力調整用可変抵抗ＶＲ１及び調光操作用可変抵抗ＶＲ２に負特性サーミスタＮＴＣ２を直列に接続した点で、図１に示す実施形態１の回路構成と相違する。
【００３９】
尚負特性サーミスタＮＴＣ２の抵抗値は負特性サーミスタＮＴＣ１の抵抗値と比較して十分小さいものを選定しており、このときの負特性サーミスタＮＴＣ１及びＮＴＣ２の抵抗値Ｒは、図４（ａ）に示すように周囲温度ＴがＴ１、Ｔ２…と変化するとＲ１１、Ｒ１２…と変化する。
【００４０】
また、調光回路４の出力電圧Ｖは、図４（ｂ）に示すように周囲温度ＴがＴ１，Ｔ２…と変化すると、調光上限（II）付近では負特性サーミスタＮＴＣ１及びＮＴＣ２双方の抵抗値の変化の影響を受けるのに対し、調光下限(Ｉ）付近では負特性サーミスタＮＴＣ２の抵抗値の変化の影響のみを図示するように受ける。
【００４１】
従って、インバータ回路２の出力電力Ｐは周囲温度Ｔによって図４（ｃ）に示すようになり、負特性サーミスタＮＴＣ２の抵抗値は負特性サーミスタＮＴＣ１と比較して十分小さいことから、調光上限（II）におけるインバータ回路２の出力の周囲温度による変化は実施形態１と同様であるのに対し、調光下限（II）におけるインバータ回路２の出力電力Ｐの周囲温度Ｔによる変化は、周囲温度Ｔが低温になればなるほど、図示するように出力電力Ｐが増加し、周囲温度が低い環境においても、安定した点灯状態を維持することができる。
【００４２】
これによって、調光上限については実施形態１と同様の効果が得られるとともに、調光下限については、所望の調光下限の光出力にあわせて負特性サーミスタＮＴＣ２の抵抗値及び温度特性を選定することにより、通常使用状態での調光下限の光出力を可能な限り低く設定しながら、低温時の立ち消えやちらつきを抑制することができる。
【００４３】
尚、本実施形態では、調光上限、調光下限に対応させて負特性サーミスタＮＴＣ１，ＮＴＣ２を調光回路４に設けているが、調光下限のみ対応させる場合には、出力調整用可変抵抗ＶＲ１、抵抗Ｒｂの直列回路と、調光操作用可変抵抗ＶＲ２との並列回路に負特性サーミスタＮＴＣ２を直列接続した構成でも良い。また負特性サーミスタＮＴＣ１，ＮＴＣ２の抵抗値の関係を上述のように負特性サーミスタＮＴＣ１の抵抗値に対して負特性サーミスタＮＴＣ２の抵抗値を十分小さいものとしているが、特にこの関係に限定されるものではない。
（実施形態３）
本実施形態は、実施形態１或いは実施形態２の放電灯点灯装置を用いた調光機能付のスタンド型照明器具であり、図５（ａ）〜（ｃ）に示すように略円柱状の器具本体１０内には上記の放電灯点灯装置の回路を内蔵し、器具本体１０の上面には調光操作用可変抵抗ＶＲ２（図１又は図３参照）の操作つまみ１１を露出させている。
【００４４】
所定角度範囲の垂直面方向に回動自在に軸支されたアーム１２の先端部には蛍光灯からなる放電灯Ｌａ（図１又は図３参照）が装着されているセード部１３の一端部を垂直面と水平面において所定角度範囲で回動自在に軸支してある。
【００４５】
尚図中、１４はベース部、１５は電源コードである。
【００４６】
而して、本実施形態の照明器具は、器具本体１０の前面上部に設けた押釦スイッチ１６を押し操作することで、電源のオン／オフが行え、また操作つまみ１１を回転操作することで、所望の光出力が得られる。
【図面の簡単な説明】
【００４７】
【図１】実施形態１の回路図である。
【図２】（ａ）は実施形態１に用いる負特性サーミスタの周囲温度に対する抵抗値の変化を示す特性図、（ｂ）は調光回路の周囲温度に対する出力電圧の変化を示す特性図、（ｃ）はインバータ回路の周囲温度に対する出力電力の変化を示す特性図である。
【図３】実施形態２の回路図である。
【図４】（ａ）は実施形態２に用いる負特性サーミスタの周囲温度に対する抵抗値の変化を示す特性図、（ｂ）は調光回路の周囲温度に対する出力電圧の変化を示す特性図、（ｃ）はインバータ回路の周囲温度に対する出力電力の変化を示す特性図である。
【図５】（ａ）は実施形態３の照明器具の上面図、（ｂ）は側面図、（ｃ）は正面図である。
【符号の説明】
【００４８】
１  整流・平滑回路
２  インバータ回路
３  制御回路
４  調光回路
５  フィードバック回路
Ｌａ  放電灯
ＡＣ  交流電源
Ｄ１，Ｄ２  ダイオード
Ｃ１，Ｃ２  平滑コンデンサ
Ｃ３  直流カット用コンデンサ
Ｑ１，Ｑ２  スイッチング素子
Ｃ０  共振用コンデンサ
Ｌ０  共振用チョークコイル
Ｒ０  検出抵抗
ＯＰ１  オペアンプ
ＶＲ１  出力調整用可変抵抗
ＶＲ２  調光操作用可変抵抗
ＮＴＣ１  負特性サーミスタ
Ｒａ〜Ｒｃ    抵抗
Ｖ  出力電圧
Ｖｒｅｆ  基準電圧
【図１】
2008098005.tif 000003
【図２】
2008098005.tif 000004
【図３】
2008098005.tif 000005
【図４】
2008098005.tif 000006
【図５】
2008098005.tif 000007